(57)【特許請求の範囲】
【請求項１】
無線通信機能を備えた情報端末と前記無線通信機能及び撮影機能を備えた撮像端末との間でポイントツーポイントの無線通信を行うことにより情報交換を可能とする通信情報転送方式において、
前記撮像端末により撮影を行う際に自動的に前記情報端末と撮像端末との間でポイントツーポイントの情報転送無線通信の接続を行い、前記撮像端末により撮影された撮像画像に関連する情報を前記情報端末に転送する情報転送手順と、前記撮像画像に関連する情報を前記情報端末に転送した後、自動的に一旦情報転送無線通信を切断しファイル送信のポイントツーポイントのファイル転送無線通信の接続を行い、前記撮像画像を前記情報端末に転送する撮影画像転送手順と、を備えたことを特徴とする通信情報転送方式。
【請求項２】
無線通信機能を備えた情報端末と前記無線通信機能及び撮影機能を備えた撮像端末との間でポイントツーポイントの無線通信を行うことにより情報交換を可能とする通信情報転送システムにおいて、
前記撮像端末により撮影を行う際に自動的に前記情報端末と撮像端末との間でポイントツーポイントの情報転送無線通信の接続を行い、前記撮像端末により撮影された撮像画像に関連する情報を前記情報端末に転送する情報転送手段と、前記撮像画像に関連する情報を前記情報端末に転送した後、自動的に一旦情報転送無線通信を切断しファイル送信のポイントツーポイントのファイル転送無線通信の接続を行い、前記撮像画像を前記情報端末に転送する撮影画像転送手段と、を備えたことを特徴とする通信情報転送システム。
【発明の詳細な説明】
【技術分野】
【０００１】
本発明は、通信情報転送方式及び通信情報転送システムに関し、さらに詳しくは、撮像端末と情報端末間を無線により接続して、撮像端末に関する通信情報を情報端末に送信する転送方式に関するものである。
【背景技術】
【０００２】
近年、デジタルカメラ装置の撮影方式として、様々な情報を撮影した画像と一緒に記録する方式が提案されている。この画像に添付された情報は、ＰＣなどに転送して、様々な後処理を行うための情報として利用される。また、情報としては、ユーザが事前に設定した文字列情報、デジタルカメラ装置で記録される音声情報、デジタルカメラ装置で一時的に入力された情報として撮影前に撮影端末に設定されている情報、記録されたファイルに関連するファイル名、ファイルサイズ、ファイル種別などの情報、カメラを識別する固有ＩＤ情報、撮影画像の撮影条件、及び撮影場所を特定するＧＰＳ情報などが存在する。
また、無線ＬＡＮやＢｌｕｅｔｏｏｔｈなどの通信機能を実装したデジタルカメラ装置が提案されている。この通信機能を実装したデジタルカメラ装置は、通信機能を実装したＰＤＡ、ＰＣ、及び携帯電話などの機器と無線接続することが可能となり、撮影した画像や画像関連情報などのデータの交換ができるようになった。
この画像に付加する従来技術として特許文献１には、撮影情報を取得して、イメージデータに変換し、デジタルカメラに予め記憶されている固定ファイル名を取り出してメモリカードを検索し、固定ファイルに書き込まれている付加情報をイメージデータに変換する。その後、撮影画像のＹ成分を抽出し、イメージデータ化された撮影情報を透かしデータ化してＹ成分に合成し、さらに、イメージデータ化された付加情報を透かしデータ化してＹ成分に合成して、撮影画像のＹ成分と置換する。これにより、撮像情報と付加情報を透かしデータとして画像に付加する技術が開示されている。
また特許文献２には、著作権を主張し得る電子透かし情報を、大規模なシステムを用いることなく、また、撮影したデジタル画像データにリアルタイムに付加することが可能な画像処理装置及び画像処理方法について開示されている。
【特許文献１】特開２００１−６９４５４公報
【特許文献２】特開平１０−３０８９４３号公報
【発明の開示】
【発明が解決しようとする課題】
【０００３】
しかし特許文献１に開示されている従来技術は、カメラ本体に着脱可能に構成され、撮像手段により撮影された画像情報及びこの画像情報に付加するための付加情報を記憶する記憶媒体と、この記憶媒体に記憶されている情報の中から付加情報を検索し取り出す必要があるため、操作が煩わしいといった問題がある。
また特許文献２に開示されている従来技術は、透かし情報データをメモリに予め記憶しておき、画像データとメモリに記憶されている透かし情報データをスイッチにより切り換えて画像データに付加し、符号化圧縮してデータを生成するものであり、カメラに透かし情報データを付加するためのスイッチが多くなり、それに伴って操作も煩雑になるといった問題がある。
本発明は、かかる課題に鑑み、情報端末と撮像端末の間で、ポイントツーポイントの情報転送無線通信の接続を事前に行い、撮像端末で撮影が行われる毎に、撮影画像に関連する情報を自動的に情報端末に転送することにより、データ量の多い画像情報を転送する前にＰＤＡ、ＰＣ、及び携帯電話などで様々な画像の後処理を行うための情報として利用することが可能となる通信情報転送方式及びシステムを提供することを目的とする。
【課題を解決するための手段】
【０００５】
本発明はかかる課題を解決するために、請求項１は、無線通信機能を備えた情報端末と前記無線通信機能及び撮影機能を備えた撮像端末との間でポイントツーポイントの無線通信を行うことにより情報交換を可能とする通信情報転送方式において、前記撮像端末により撮影を行う際に自動的に前記情報端末と撮像端末との間でポイントツーポイントの情報転送無線通信の接続を行い、前記撮像端末により撮影された撮像画像に関連する情報を前記情報端末に転送する情報転送手順と、前記撮像画像に関連する情報を前記情報端末に転送した後、自動的に一旦情報転送無線通信を切断しファイル送信のポイントツーポイントのファイル転送無線通信の接続を行い、前記撮像画像を前記情報端末に転送する撮影画像転送手順と、を備えたことを特徴とする。
本発明は撮像端末で撮影を行う際に、自動的に情報端末と撮像端末の間で、ポイントツーポイントの情報転送無線通信の接続を行い撮像端末により撮影された撮影画像に関連する情報を情報端末に転送し、撮影画像に関連する情報を情報端末に転送した後、自動的に一旦情報転送無線通信を切断し、ファイル送信のポイントツーポイントのファイル転送無線通信の接続を行い撮影画像を情報端末に転送するものである。これにより、画像関連の多くの情報を、撮影画像とは別に受信することができ、ＰＤＡや、ＰＣや、携帯電話などで、様々な画像の後処理を行うための情報として利用することが可能となる。
【０００７】
請求項２は、無線通信機能を備えた情報端末と前記無線通信機能及び撮影機能を備えた撮像端末との間でポイントツーポイントの無線通信を行うことにより情報交換を可能とする通信情報転送システムにおいて、前記撮像端末により撮影を行う際に自動的に前記情報端末と撮像端末との間でポイントツーポイントの情報転送無線通信の接続を行い、前記撮像端末により撮影された撮像画像に関連する情報を前記情報端末に転送する情報転送手段と、前記撮像画像に関連する情報を前記情報端末に転送した後、自動的に一旦情報転送無線通信を切断しファイル送信のポイントツーポイントのファイル転送無線通信の接続を行い、前記撮像画像を前記情報端末に転送する撮影画像転送手段と、を備えたことを特徴とする。
本発明は請求項１と同様の作用効果を奏する。
【発明の効果】
【０００８】
請求項１、２の発明によれば、ポイントツーポイントの情報転送無線通信の接続を行い撮像端末により撮影された撮影画像に関連する情報を情報端末に転送し、撮影画像に関連する情報を情報端末に転送した後、自動的に一旦情報転送無線通信を切断し、ファイル送信のポイントツーポイントのファイル転送無線通信の接続を行い撮影画像を情報端末に転送するので、画像関連の多くの情報を、撮影画像とは別に受信することができ、ＰＤＡや、ＰＣや、携帯電話などで、様々な画像の後処理を行うための情報として利用することが可能となる。また、情報転送無線通信を常時行わないので、電力を削減することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の撮像装置の一例であるデジタルカメラの外観図である。図１（ａ）は上面図、図１（ｂ）は正面図、図１（ｃ）は裏面図である。又、図２は、本発明の撮像装置の一例であるデジタルカメラのブロック図である。まず、図１、図２を使用して、本発明の撮像装置の一例であるデジタルカメラの動作を説明する。図１、２において、鏡胴ユニット（７）は、被写体の光学画像を取り込むズームレンズ（７−１ａ）、ズーム駆動モータ（７−１ｂ）からなるズーム光学系（７−１）、フォーカスレンズ（７−２ａ）、フォーカス駆動モータ（７−２ｂ）からなるフォーカス光学系（７−２）、絞り（７−３ａ）、絞りモータ（７−３ｂ）からなる絞りユニット（７−３）、メカシャッタ（７−４ａ）、メカシャッタモータ（７−４ｂ）からなるメカシャッタユニット（７−４）、各モータを駆動するモータドライバ（７−５）を有する。そして、モータドライバ（７−５）は、リモコン受光部（６）入力や操作部Ｋｅｙユニット（ＳＷ１〜ＳＷ１３）の操作入力に基づく、後述するデジタルスチルカメラプロセッサ（１０４）内にあるＣＰＵブロック（１０４−３）からの駆動指令により駆動制御される。
ＲＯＭ（１０８）には、ＣＰＵブロック（１０４−３）にて解読可能なコードで記述された、制御プログラムや制御するためのパラメータが格納されている。このデジタルカメラの電源がオン状態になると、前記プログラムは不図示のメインメモリにロードされ、前記ＣＰＵブロック（１０４−３）はそのプログラムに従って装置各部の動作を制御するとともに、制御に必要なデータ等を、一時的に、ＲＡＭ（１０７）、及び後述するデジタルスチルカメラプロセッサ（１０４）内にあるＬｏｃａｌ  ＳＲＡＭ（１０４−４）に保存する。ＲＯＭ（１０８）に書き換え可能なフラッシュＲＯＭを使用することで、制御プログラムや制御するためのパラメータを変更することが可能となり、機能のＶｅｒＵｐが容易に行える。
【００１０】
ＣＣＤ（１０１）は、光学画像を光電変換するための固体撮像素子であり、Ｆ／Ｅ（フロントエンド）−ＩＣ（１０２）は、画像ノイズ除去用相関二重サンプリングを行うＣＤＳ（１０２−１）、利得調整を行うＡＧＣ（１０２−２）、デジタル信号変換を行うＡ／Ｄ（１０２−３）、ＣＣＤ１信号処理ブロック（１０４−１）より、垂直同期信号（以下、ＶＤと記す。）、水平同期信号（以下、ＨＤと記す。）を供給され、ＣＰＵブロック（１０４−３）によって制御されるＣＣＤ（１０１）、及びＦ／Ｅ−ＩＣ（１０２）の駆動タイミング信号を発生するＴＧ（１０２−４）を有する。
デジタルスチルカメラプロセッサ（１０４）は、ＣＣＤ（１０１）よりＦ／Ｅ−ＩＣ（１０２）の出力データにホワイトバランス設定やガンマ設定を行い、又、前述したように、ＶＤ信号、ＨＤ信号を供給するＣＣＤ１信号処理ブロック（１０４−１）、フィルタリング処理により、輝度データ・色差データへの変換を行うＣＣＤ２信号処理ブロック（１０４−２）、前述した装置各部の動作を制御するＣＰＵブロック（１０４−３）、前述した制御に必要なデータ等を、一時的に、保存するＬｏｃａｌ  ＳＲＡＭ（１０４−４）、パソコンなどの外部機器とＵＳＢ通信を行うＵＳＢブロック（１０４−５）、パソコンなどの外部機器とシリアル通信を行うシリアルブロック（１０４−６）、ＪＰＥＧ圧縮・伸張を行うＪＰＥＧ  ＣＯＤＥＣブロック（１０４−７）、画像データのサイズを補間処理により拡大／縮小するＲＥＳＩＺＥブロック（１０４−８）、画像データを液晶モニタやＴＶなどの外部表示機器に表示するためのビデオ信号に変換するＴＶ信号表示ブロック（１０４−９）、撮影された画像データを記録するメモリカードの制御を行うメモリカードコントローラブロック（１０４−１０）を有する。
ＳＤＲＡＭ（１０３）は、前述したデジタルスチルカメラプロセッサ（１０４）で画像データに各種処理を施す際に、画像データを一時的に保存する。保存される画像データは、例えば、ＣＣＤ（１０１）から、Ｆ／Ｅ−ＩＣ（１０２）を経由して取りこんで、ＣＣＤ１信号処理ブロック（１０４−１）でホワイトバランス設定、ガンマ設定が行われた状態の「ＲＡＷ−ＲＧＢ画像データ」やＣＣＤ２信号処理ブロック（１０４−２）で輝度データ・色差データ変換が行われた状態の「ＹＵＶ画像データ」、ＪＰＥＧ  ＣＯＤＥＣブロック（１０４−７）で、ＪＰＥＧ圧縮された「ＪＰＥＧ画像データ」などである。
【００１１】
メモリカードスロットル（１２１）は、着脱可能なメモリカードを装着するためのスロットルである。
内蔵メモリ（１２０）は、前述したメモリカードスロットル（１２１）にメモリカードが装着されていない場合でも、撮影した画像データを記憶できるようにするためのメモリである。
ＬＣＤドライバ（１１７）は、後述するＬＣＤモニタ（１０）に駆動するドライブ回路であり、ＴＶ信号表示ブロック（１０４−９）から出力されたビデオ信号を、ＬＣＤモニタ（１０）に表示するための信号に変換する機能も有している。
ＬＣＤモニタ（１０）は、撮影前に被写体の状態を監視する、撮影した画像を確認する、メモリカードや前述した内臓メモリ（１２０）に記録した画像データを表示する、などを行うためのモニタである。
ビデオＡＭＰ（１１８）は、ＴＶ信号表示ブロック（１０４−９）から出力されたビデオ信号を、７５Ωインピーダンス変換するためのアンプであり、ビデオジャック（１１９）は、ＴＶなどの外部表示機器と接続するためのジャックである。
ＵＳＢコネクタ（１２２）は、パソコンなどの外部機器とＵＳＢ接続を行う為のコネクタである。
シリアルドライバ回路（１２３−１）は、パソコンなどの外部機器とシリアル通信を行うために、前述したシリアルブロック（１０４−６）の出力信号を電圧変換するための回路であり、ＲＳ−２３２Ｃコネクタ（１２３−２）は、パソコンなどの外部機器とシリアル接続を行う為のコネクタである。
【００１２】
ＳＵＢ−ＣＰＵ（１０９）は、ＲＯＭ・ＲＡＭをワンチップに内臓したＣＰＵであり、操作Ｋｅｙユニット（ＳＷ１〜１３）やリモコン受光部（６）の出力信号をユーザの操作情報として、前述したＣＰＵブロック（１０４−３）に出力したり、前述したＣＰＵブロック（１０４−３）より出力されるカメラの状態を、後述するサブＬＣＤ（１）、ＡＦ  ＬＥＤ（８）、ストロボＬＥＤ（９）、ブザー（１１３）の制御信号に変換して、出力する。
サブＬＣＤ（１）は、例えば、撮影可能枚数など表示するための表示部であり、ＬＣＤドライバ（１１１）は、前述したＳＵＢ−ＣＰＵ（１０９）の出力信号より、前述したサブＬＣＤ（１）を駆動するためのドライブ回路である。
ＡＦ  ＬＥＤ（８）は、撮影時の合焦状態を表示するためのＬＥＤであり、ストロボＬＥＤ（９）は、ストロボ充電状態を表すためのＬＥＤである。尚、このＡＦ  ＬＥＤ（８）とストロボＬＥＤ（９）を、メモリカードアクセス中などの別の表示用途に使用しても良い。
操作Ｋｅｙユニット（ＳＷ１〜１３）は、ユーザが操作するＫｅｙ回路であり、リモコン受光部（６）は、ユーザが操作したリモコン送信機の信号の受信部である。
音声記録ユニット（１１５）は、ユーザが音声信号を入力するマイク（１１５−３）、入力された音声信号を増幅するマイクＡＭＰ（１１５−２）、増幅された音声信号を記録する音声記録回路（１１５―３）からなる。
音声再生ユニット（１１６）は、記録された音声信号をスピーカーから出力できる信号に変換する音声再生回路（１１６−１）、変換された音声信号を増幅し、スピーカーを駆動するためのオーディオＡＭＰ（１１６−２）、音声信号を出力するスピーカー（１１６−３）からなる。
【００１３】
図３は本発明の一実施例であるＰＤＡ情報端末装置のハードウエアの構成図である。このデジタルカメラ２００は、ＳＹＳＴＥＭ  ＢＵＳ２０１と、全体を制御するＣＰＵ２０２と、プログラムを格納するＰＲＯＭ２０３と、プログラムやデータのワーク領域としてのＲＡＭ２０４と、撮影された画像ファイル、システムファイル、データファイルなどを格納する内蔵Ｍｅｍｏｒｙ２０５と、ハードキーを検出するＫＥＹ  Ｉ／Ｆ制御部２０６と、シャッターやズームキーなどのハードＫＥＹ２０７と、カメラ部２０９と、カメラ部２０９を制御するカメラ制御部２０８と、カメラ制御部２０８から取り込まれた画像をＪＰＥＧに圧縮したり、メモリに格納されているＪＰＥＧデータを解凍したりする画像圧縮伸張制御部２１２と、カメラ制御部２０８からの画像データや画像圧縮伸張制御部２１２からの画像データをＬＣＤ部２１１に映像信号として出力したりする画像制御部２１０と、ＵＳＢ  Ｉ／Ｆ制御部２１３と、プリンター装置２２１と接続するＵＳＢケーブル２１４と、ＣＦ（Compact Flash）制御部２１５と、ＣＦ  Ｉ／Ｆ２１６と、ＣＦ  Ｉ／Ｆ２１６に挿入される通信カード２１７と、ＳＤ制御部２１８と、ＳＤ  Ｉ／Ｆ２１９と、ＳＤ  Ｉ／Ｆ２１９に挿入されるＳＤ２２０と、ＵＳＢケーブル２１４もしくは、通信カード２１７経由でデジタルカメラ２００と接続されるプリンター装置２２１と、音声を入力するマイク２２３と、マイク２２３からのアナログ音声信号をデジタル変換するＡ／Ｄ変換部２２２を備えて構成されている。
通常の撮影は、ハードＫＥＹ２０７で撮影開始を認識する。カメラ部２０９で画像を取込む。カメラ部２０９から出力される画像信号を画像制御部２１０がＲＧＢデータや、ＹｃｂＣｒデータなどのフレームデータに変換し必要な画像処理を行った後、画像データをＲＡＭ２０４に転送する。転送された画像データは画像圧縮伸長制御部２１２で、ＪＰＥＧなどの画像データに圧縮され再びＲＡＭ２０４に転送される。ＲＡＭ２０４に格納されたＪＰＥＧなどの画像データは、必要なヘッダー処理を行った後、内蔵Ｍｅｍｏｒｙ２０５もしくはＳＤ制御部２１８を介してＳＤカード２２０に記録される。
図２に示した、デジタルカメラのブロック図と比較すると、鏡胴ユニット（７）がカメラ部２０９に、ＣＣＤ（１０１）を含むＦ／Ｅ（フロントエンド）−ＩＣ（１０２）がカメラ制御部２０８に、ＣＣＤ１信号処理ブロック（１０４−１）とＣＣＤ２信号処理ブロック（１０４−２）が画像制御部２１０に該当する。図３のＰＤＡ情報端末装置のカメラ機能の部分は、図２に示したデジタルカメラ装置より性能面では劣る場合も有るが、基本的な機能は同じである。本発明では、デジタルカメラ装置でも、ＰＤＡ情報端末装置でも、基本的なカメラ機能が実装されていれば実現可能である。
【００１４】
図４は本発明の一実施形態のカメラメモデータの表示方式を示す図である。カメラメモデータ４０は、データ中項目４１と、小項目４２とに別れる。図４（ａ）のＣａｔｅｇｏｒｙ１、Ｃａｔｅｇｏｒｙ２、Ｃａｔｅｇｏｒｙ１３、Ｃａｔｅｇｏｒｙ４、Ｃａｔｅｇｏｒｙ５は、中項目４１に該当する。中項目４１の下には小項目がリンクされる。例えば、図４のＣａｍｅｒａ  Ｍｅｍｏ０１、Ｃａｍｅｒａ  Ｍｅｍｏ２３、Ｃａｍｅｒａ  Ｍｅｍｏ３２、Ｃａｍｅｒａ  Ｍｅｍｏ３３、Ｃａｍｅｒａ  Ｍｅｍｏ１４は、小項目４２に該当する。また図４（ｂ）に表示されたＣａｔｅｇｏｒｙ１、Ｃａｔｅｇｏｒｙ２、Ｃａｔｅｇｏｒｙ３、Ｃａｔｅｇｏｒｙ４、Ｃａｔｅｇｏｒｙ５の中項目データ４１ａと、Ｃａｍｅｒａ  Ｍｅｍｏ０１、Ｃａｍｅｒａ  Ｍｅｍｏ２３、Ｃａｍｅｒａ  Ｍｅｍｏ３２、Ｃａｍｅｒａ  Ｍｅｍｏ３３、Ｃａｍｅｒａ  Ｍｅｍｏ１４の小項目データは、撮影時にカメラメモデータとして、取込んだ画像情報と一緒に、内蔵メモリ（１２０）もしくはメモリカードスロットル（１２１）経由で装着されたメモリカードに記録される。
また、図４（ａ）の画面は、Ｃａｔｅｇｏｒｙ１、Ｃａｔｅｇｏｒｙ２、Ｃａｔｅｇｏｒｙ３、Ｃａｔｅｇｏｒｙ４、Ｃａｔｅｇｏｒｙ５の中項目４１にリンクされる小項目を選択可能とする。各Ｃａｔｅｇｏｒｙには、Ｃａｍｅｒａ  Ｍｅｍｏ０１〜Ｃａｍｅｒａ  Ｍｅｍｏ５０まで事前にシステムに登録されている。ＴＥＭＰＯＲＡＲＹ４３は、システムに事前に登録されているデータ以外に、図２の操作Ｋｅｙユニット（ＳＷ１〜１３）を使って情報を一時的に入力する。ＲＥＣＯＲＤ４４は、Ｃａｍｅｒａ  Ｍｅｍｏ０１〜Ｃａｍｅｒａ  Ｍｅｍｏ５０、ＴＥＭＰＯＲＡＲＹ情報以外に、マイク（１１５−３）、マイクＡＭＰ（１１５−２）、音声記録回路（１１５−１）を使って、音声データなどの大容量データを登録し選択可能する。
【００１５】
図５は本発明の一実施形態のカメラメモデータのデータ構造を示す図である。図５に示したカメラメモデータ構造は、図４に示した表示方式に対応している。例えば、Ｃａｔｅｇｏｒｙデータ４５の登録件数は、最大５件で、最大データ長を３２ｂｙｔｅとする。Ｃａｍｅｒａ  Ｍｅｍｏデータ４６の登録件数は、最大５０件で、最大データ長を３２ｂｙｔｅとする。Ｓｏｕｎｄ  Ｍｅｍｏデータ４７の登録件数は、最大５件で、最大データ長を６４Ｋｂｙｔｅとする。Ｃａｔｅｇｏｒｙデータ、Ｃａｍｅｒａ  Ｍｅｍｏデータ、ＴＥＭＰＯＲＡＲＹデータは、テキスト形式の情報とし、Ｓｏｕｎｄ  Ｍｅｍｏデータは、ＰＣＭ形式のデータとする。
尚、図４、図５で示したカメラメモデータの形式は、あくまでも一実施形態であり、テキスト形式、ＰＣＭ形式などの情報フォーマットや、登録最大件数、データ最大長は、本発明にて制限するものでは無い。
図２に示したデジタルカメラ装置は、メモリカードスロットル（１２１）経由で装着されたＢｌｕｅｔｏｏｔｈカードを使用するか、もしくは、Ｂｌｕｅｔｏｏｔｈ回路（１３０）を使用して、Ｂｌｕｅｔｏｏｔｈ通信を実現する。
【００１６】
図６は本発明の一実施形態のＢｌｕｅｔｏｏｔｈプロトコルスタック構造を示す図である。機器側のＢｌｕｅｔｏｏｔｈプロトコルスタックは、ハードウエアを直接制御するＨＷデバイスドライバ５０と、ホストとホストコントローラーとの通信を制御するＨＣＩ（Host Controller Interface）５１と、論理チャネルの設定及び、レイヤパケットの分割、組み立てを行うＬ２ＣＡＰ（Logical Link Control and Adaptation Protocol）５２と、Ｂｌｕｅｔｏｏｔｈ無線通信のプロトコルをＲＳ２３２Ｃ等のＩ／Ｆに変換するＲＦＣＯＭＭ５３と、データ（オブジェクト）の送信／受信を行うＯＢＥＸ（Object Exchange）５４と、Ｂｌｕｅｔｏｏｔｈ機器のサービスを検索するＳＤＰ（Service Discovery Protocol）５５と、ダイヤルアップ通信を実現するＤＵＮ（DialUp Network）５６と、画像の送信／受信を行うＢＩＰ（Basic Image Protocol）５７と、シリアル通信を実現するＳＰＰ（Serial Port Profile）５８と、ＢＩＰ５７を制御して画像の送信／受信を実現するＢＩＰＡｐｐｌｉｃａｔｉｏｎ５９と、ＯＢＥＸ５４を制御してファイル送信／受信を実現するＯＰＰＡｐｐｌｉｃａｔｉｏｎ６０と、ＤＵＮ５６を制御してダイヤルアップ通信を実現するＮｅｔｗｏｒｋＡｐｐｌｉｃａｔｉｏｎ６１と、ＳＰＰ５８を制御してシリアル通信を実現するＳＰＰＡｐｐｌｉｃａｔｉｏｎ６２と、ＳＤＰ５５を制御してＢｌｕｅｔｏｏｔｈ機器の検索を行うＳＤＰＡｐｐｌｉｃａｔｉｏｎ６３を備えて構成されている。
ＣＦ  ｃａｒｄ  Ｉ／Ｆ６４を介した、Ｂｌｕｅｔｏｏｔｈカードは、ホストとホストコントローラーとの通信を制御するＨＣＩＦｉｒｍｗａｒｅ６５と、Ｂｌｕｅｔｏｏｔｈ機器間の接続の確立を制御するＬｉｎｋ  Ｍａｎａｇｅｒ  Ｆｉｒｍｗａｒｅ６６と、物理的な無線部分とＢｌｕｅｔｏｏｔｈを接続するＢａｓｅｂａｎｄ  Ｃｏｎｔｒｏｌｌｅｒ６７から構成されている。
【００１７】
図７は本発明の第１の実施形態であるＢｌｕｅｔｏｏｔｈＳＰＰプロトコルシーケンス図である。ＳＰＰプロトコルは、Ｂｌｕｅｔｏｏｔｈのシリアル通信機能を提供する。撮像端末７０は、電源ＯＮ時に自動的に情報端末７１に対して、ＳＰＰＡｐｐｌｉｃａｔｉｏｎを使ってＢｌｕｅｔｏｏｔｈＳＰＰの接続を実行する。相手先情報としては、前回の接続相手先を使用したり、事前に撮像端末７０に登録してもかまわない。撮像端末７０と情報端末７１の間で、ＢｌｕｅｔｏｏｔｈＳＰＰが接続された後は、撮像端末７０で撮像を行う毎に、画像関連情報を情報端末に転送する。撮像端末は、電源ＯＦＦ時に自動的に情報端末７１に対して、ＢｌｕｅｔｏｏｔｈＳＰＰの切断を実行する。
本実施形態では撮影毎のＢｌｕｅｔｏｏｔｈＳＰＰ情報転送方式、ＳＰＰは常時接続されているのが前提として説明する。本実施形態は図３のようなシステム構成を持つ、無線通信機能を有する情報端末と、図１の外観で、図２もしくは図３のようなシステム構成を持つ無線通信機能と撮影機能を有する撮像端末の間で、図６に示したプロトコルスタックを実装し、図７に示したようにＳＰＰＡｐｐｌｉｃａｔｉｏｎと、ＳＰＰを使用して、ポイントツーポイントの無線通信を行い、シリアル通信での情報の交換が可能なシステムを実現するものである。
以上の機能を実装することによって、データ量の多い画像情報を転送する前に、ＰＤＡや、ＰＣや、携帯電話などで、様々な画像の後処理を行うための情報として利用することが可能となる。
【００１８】
図８は本発明の第２の実施形態であるＢｌｕｅｔｏｏｔｈＳＰＰプロトコルシーケンス図である。ＳＰＰプロトコルは、Ｂｌｕｅｔｏｏｔｈのシリアル通信機能を提供する。撮像端末７０は、電源ＯＮ時に自動的に情報端末７１に対して、ＳＰＰＡｐｐｌｉｃａｔｉｏｎを使ってＢｌｕｅｔｏｏｔｈＳＰＰの接続を実行する。相手先情報としては、前回の接続相手先を使用したり、事前に撮像端末に登録してもかまわない。その後、回線状況や、情報端末側の都合で、撮像端末７０と情報端末７１の間のＢｌｕｅｔｏｏｔｈＳＰＰが切断される。撮像端末７０で撮影を行う時に、ＢｌｕｅｔｏｏｔｈＳＰＰが接続されているかどうか判定する。接続されていない場合には、撮像端末７０と情報端末７１の間で、ＢｌｕｅｔｏｏｔｈＳＰＰを接続する。接続された後は、撮像端末７０で撮像を行う毎に、画像関連情報を情報端末７１に転送する。撮像端末７０は、電源ＯＦＦ時に自動的に情報端末７１に対して、ＢｌｕｅｔｏｏｔｈＳＰＰの切断を実行する。
本実施形態では、図３のようなシステム構成を持つ、無線通信機能を有する情報端末と、図１の外観で、図２もしくは図３のようなシステム構成を持つ無線通信機能と撮影機能を有する撮像端末の間で、図６に示したプロトコルスタックを実装し、図８に示したようにＳＰＰＡｐｐｌｉｃａｔｉｏｎと、ＳＰＰを使用して、ポイントツーポイントの無線通信を行い、シリアル通信での情報の交換が可能なシステムを実現するものである。
以上の機能を実装することによって、データ量の多い画像情報を転送する前に、ＰＤＡや、ＰＣや、携帯電話などで、様々な画像の後処理を行うための情報として利用することが可能となる。また、情報転送のための無線通信の再接続を自動的に行うため、請求項１の利便性を向上させることを可能にしている。
【００１９】
図９は本発明の第３の実施形態であるＢｌｕｅｔｏｏｔｈＳＰＰプロトコルシーケンス図である。ＳＰＰプロトコルは、Ｂｌｕｅｔｏｏｔｈのシリアル通信機能を提供する。ＯＰＰプロトコルは、Ｂｌｕｅｔｏｏｔｈのファイル転送機能を提供する。本実施形態では、ＯＰＰプロトコルを使ってファイル転送を実現しているが、ＢＩＰプロトコルを使ってもファイル転送を実現することができる。撮像端末７０で撮影を行う時に、自動的に情報端末７１に対して、ＳＰＰＡｐｐｌｉｃａｔｉｏｎを使ってＢｌｕｅｔｏｏｔｈＳＰＰの接続を実行する。相手先情報としては、前回の接続相手先を使用したり、事前に撮像端末に登録してもかまわない。情報端末７１に画像関連情報を送り終えると、ＢｌｕｅｔｏｏｔｈＳＰＰの切断を実行する。その後、ＯＰＰＡｐｐｌｉｃａｔｉｏｎを使ってＢｌｕｅｔｏｏｔｈＯＰＰの接続を実行し、撮影したファイルの送信を実行する。
本実施形態では、図３のようなシステム構成を持つ、無線通信機能を有する情報端末と、図１の外観で、図２もしくは図３のようなシステム構成を持つ無線通信機能と撮影機能を有する撮像端末の間で、図６に示したプロトコルスタックを実装し、図９に示したようにＳＰＰＡｐｐｌｉｃａｔｉｏｎと、ＳＰＰと、ＯＰＰＡｐｐｌｉｃａｔｉｏｎと、ＯＰＰを使用して、ポイントツーポイントの無線通信を行い、シリアル通信での情報の交換が可能なシステムと、ファイル通信でのファイル転送可能なシステムを実現するものである。
以上の機能を実装することによって、画像関連の多くの情報を、撮影画像とは別に受信することができ、ＰＤＡや、ＰＣや、携帯電話などで、様々な画像の後処理を行うための情報として利用することが可能となる。また、請求項１、２と比較して、情報転送無線通信を常時行うわけで無いので、電力的にも有利である。
【００２０】
図１０は本発明の第４の実施形態であるＢｌｕｅｔｏｏｔｈＳＰＰプロトコルシーケンス図である。ＳＰＰプロトコルは、Ｂｌｕｅｔｏｏｔｈのシリアル通信機能を提供する。ＯＰＰプロトコルは、Ｂｌｕｅｔｏｏｔｈのファイル転送機能を提供する。本実施形態では、ＯＰＰプロトコルを使ってファイル転送を実現しているが、ＢＩＰプロトコルを使ってもファイル転送を実現することができる。撮像端末７０は、電源ＯＮ時に自動的に情報端末７１に対して、ＳＰＰＡｐｐｌｉｃａｔｉｏｎを使ってＢｌｕｅｔｏｏｔｈＳＰＰの接続を実行する。相手先情報としては、前回の接続相手先を使用したり、事前に撮像端末７０に登録してもかまわない。撮像端末７０で撮影を行う時に、自動的に情報端末７１に対して、ＢｌｕｅｔｏｏｔｈＳＰＰの切断を実行する。切断を完了すると、ＯＰＰＡｐｐｌｉｃａｔｉｏｎを使ってＢｌｕｅｔｏｏｔｈＯＰＰの接続を実行し、撮影したファイルの送信を実行する。ファイルの送信が完了すると、ＢｌｕｅｔｏｏｔｈＯＰＰの切断を実行し、ファイル送信前に切断したＢｌｕｅｔｏｏｔｈＳＰＰの再接続を実行する。
本実施形態では、図３のようなシステム構成を持つ、無線通信機能を有する情報端末と、図１の外観で、図２もしくは図３のようなシステム構成を持つ無線通信機能と撮影機能を有する撮像端末の間で、図６に示したプロトコルスタックを実装し、図１０に示したようにＳＰＰＡｐｐｌｉｃａｔｉｏｎと、ＳＰＰと、ＯＰＰＡｐｐｌｉｃａｔｉｏｎと、ＯＰＰを使用して、ポイントツーポイントの無線通信を行い、シリアル通信での情報の交換が可能なシステムと、ファイル通信でのファイル転送可能なシステムを実現するものである。
以上の処理を実施することによって、ファイル単位の転送を実行しても、請求項１の効果を確保でき利便性を向上させる。
【図面の簡単な説明】
【００２１】
【図１】本発明の撮像装置の一例であるデジタルカメラの外観図である。
【図２】本発明の撮像装置の一例であるデジタルカメラのブロック図である。
【図３】本発明の一実施例であるＰＤＡ情報端末装置のハードウエアの構成図である。
【図４】本発明の一実施形態のカメラメモデータの表示方式を示す図である。
【図５】本発明の一実施形態のカメラメモデータのデータ構造を示す図である。
【図６】本発明の一実施形態のＢｌｕｅｔｏｏｔｈプロトコルスタック構造を示す図である。
【図７】本発明の第１の実施形態であるＢｌｕｅｔｏｏｔｈＳＰＰプロトコルシーケンス図である。
【図８】本発明の第２の実施形態であるＢｌｕｅｔｏｏｔｈＳＰＰプロトコルシーケンス図である。
【図９】本発明の第３の実施形態であるＢｌｕｅｔｏｏｔｈＳＰＰプロトコルシーケンス図である。
【図１０】本発明の第４の実施形態であるＢｌｕｅｔｏｏｔｈＳＰＰプロトコルシーケンス図である。
【符号の説明】
【００２２】
２００  デジタルカメラ、２０１  ＳＹＳＴＥＭ  ＢＵＳ、２０２  ＣＰＵ、２０３  ＰＲＯＭ、２０４  ＲＡＭ、２０５  内蔵Ｍｅｍｏｒｙ、２０６  ＫＥＹ  Ｉ／Ｆ制御部、２０７  ハードＫＥＹ、２０８  カメラ制御部、２０９  カメラ部、２１０  画像制御部、２１１  ＬＣＤ部、２１２  画像圧縮伸張制御部、２１３  ＵＳＢ  Ｉ／Ｆ制御部、２１４  ＵＳＢケーブル、２１５  ＣＦ（Compact Flash）制御部、２１６  ＣＦ  Ｉ／Ｆ、２１７  通信カード、２１８  ＳＤ制御部、２１９  ＳＤ  Ｉ／Ｆ、２２０  ＳＤ、２２１  プリンター装置、２２２  Ａ／Ｄ変換部、２２３  マイク
【図１】
0004705424.tif 000002
【図２】
0004705424.tif 000003
【図３】
0004705424.tif 000004
【図４】
0004705424.tif 000005
【図５】
0004705424.tif 000006
【図６】
0004705424.tif 000007
【図７】
0004705424.tif 000008
【図８】
0004705424.tif 000009
【図９】
0004705424.tif 000010
【図１０】
0004705424.tif 000011